【手続補正書】
【提出日】平成26年9月30日(2014.9.30)
【手続補正１】
【補正対象書類名】明細書
【補正対象項目名】０００２
【補正方法】変更
【補正の内容】
【０００２】
従来の遊技機においては、遊技領域に設けた始動口への遊技球の入賞に基づき表示装置で複数の識別情報を変動表示する変動表示ゲームを実行し、該変動表示ゲームの結果が予め定めた特別結果となったことに基づいて、遊技者に有利な特別遊技状態を発生させるものが知られている。そして、変動表示ゲームにおいては、複数の変動時間から一の変動時間が設定されるようになっており、各変動時間に対応して変動開始から停止までの装飾図柄の変動態様が設定されるようになっている（例えば、特許文献１）。
【手続補正２】
【補正対象書類名】明細書
【補正対象項目名】０００４
【補正方法】変更
【補正の内容】
【０００４】
ところで、上記特許文献１のような遊技機では、遊技の興趣を効果的に向上させることができていなかった。
【手続補正３】
【補正対象書類名】明細書
【補正対象項目名】０００５
【補正方法】変更
【補正の内容】
【０００５】
本発明の目的は、遊技の興趣を効果的に向上させることである。
【手続補正４】
【補正対象書類名】明細書
【補正対象項目名】０００６
【補正方法】変更
【補正の内容】
【０００６】
以上の課題を解決するため、請求項１に記載の発明は、始動入賞領域への遊技球の入賞に基づき複数の識別情報を変動表示する変動表示ゲームの演出表示を行うための表示装置を備え、前記変動表示ゲームの結果が特別結果となったことに基づき遊技者に有利な特別遊技状態を発生させることが可能な遊技機において、
前記変動表示ゲームの結果を前記特別結果とするか否かを決定することが可能なゲーム結果決定手段と、
前記ゲーム結果決定手段の決定結果に基づき、前記変動表示ゲームを実行するための識別情報の変動パターンを決定することが可能な変動パターン決定手段と、
前記変動パターン決定手段の決定結果に基づき、前記演出表示として特定の変動演出パターンを実行するか否かを決定することが可能な演出表示決定手段と、
前記演出表示決定手段により前記特定の変動演出パターンの実行が決定されたことに基づき、当該特定の変動演出パターンによる演出表示を実行する演出表示実行手段と、を備え、
前記特定の変動演出パターンは、所定のタイミングで複数の演出態様に分岐するとともに、前記複数の演出態様のうち、いずれかの演出態様にて実行されるよう構成され、
前記演出表示実行手段は、
前記複数の演出態様のいずれを実行するかを選択することが可能な選択手段を備え、
前記変動表示ゲームが前記特別結果となる場合には、前記選択手段によって、複数の演出態様のうちいずれの演出態様が選択されていたとしても、前記特定の変動演出パターンの結末において、同一又は同意義の演出展開となるように当該特定の変動演出パターンを実行することが可能であることを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
請求項１に記載の発明によれば、遊技の興趣を効果的に向上させることが可能となる。
【手続補正７】
【補正対象書類名】明細書
【補正対象項目名】０００９
【補正方法】変更
【補正の内容】
【０００９】
請求項２に記載の発明は、請求項１に記載の遊技機であって、前記特定の変動演出パターンにおける前記複数の演出態様は、前記特別結果となる期待度が異なるように設定されるとともに、何れの演出態様にて実行された場合であっても同一の時間値で終了するように設定されることを特徴とする。
【手続補正８】
【補正対象書類名】明細書
【補正対象項目名】００１０
【補正方法】変更
【補正の内容】
【００１０】
請求項２に記載の発明によれば、何れの演出態様にて実行された場合であっても同一の時間値で終了するように設定される。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】変更
【補正の内容】
【００２４】
本発明によれば、遊技の興趣を効果的に向上させることが可能となる。
【手続補正２３】
【補正対象書類名】特許請求の範囲
【補正対象項目名】全文
【補正方法】変更
【補正の内容】
【特許請求の範囲】
【請求項１】
始動入賞領域への遊技球の入賞に基づき複数の識別情報を変動表示する変動表示ゲームの演出表示を行うための表示装置を備え、前記変動表示ゲームの結果が特別結果となったことに基づき遊技者に有利な特別遊技状態を発生させることが可能な遊技機において、
前記変動表示ゲームの結果を前記特別結果とするか否かを決定することが可能なゲーム結果決定手段と、
前記ゲーム結果決定手段の決定結果に基づき、前記変動表示ゲームを実行するための識別情報の変動パターンを決定することが可能な変動パターン決定手段と、
前記変動パターン決定手段の決定結果に基づき、前記演出表示として特定の変動演出パターンを実行するか否かを決定することが可能な演出表示決定手段と、
前記演出表示決定手段により前記特定の変動演出パターンの実行が決定されたことに基づき、当該特定の変動演出パターンによる演出表示を実行する演出表示実行手段と、を備え、
前記特定の変動演出パターンは、所定のタイミングで複数の演出態様に分岐するとともに、前記複数の演出態様のうち、いずれかの演出態様にて実行されるよう構成され、
前記演出表示実行手段は、
前記複数の演出態様のいずれを実行するかを選択することが可能な選択手段を備え、
前記変動表示ゲームが前記特別結果となる場合には、前記選択手段によって、複数の演出態様のうちいずれの演出態様が選択されていたとしても、前記特定の変動演出パターンの結末において、同一又は同意義の演出展開となるように当該特定の変動演出パターンを実行することが可能であることを特徴とする遊技機。
【請求項２】
前記特定の変動演出パターンにおける前記複数の演出態様は、前記特別結果となる期待度が異なるように設定されるとともに、何れの演出態様にて実行された場合であっても同一の時間値で終了するように設定されることを特徴とする請求項１に記載の遊技機。